(57)【要約】【課題】シリアルバス規格に則ったシリアルバスにより複数のノードを接続したとき、その接続によるオーディオ情報等の伝送が可能となったか否か等をそのノードの使用者に認識させることが可能な状態表示装置等を提供する。【解決手段】プレーヤＰとの間でオーディオ情報の授受を行うレシーバＲに含まれ、当該レシーバＲの状態を表示する状態表示装置において、プレーヤＰがレシーバＲとの間でのオーディオ情報の授受を行うための構成を備えているか否かを問合せ、プレーヤＰが必要な構成を備えていることが確認されたとき、プレーヤＰがその構成を備えている旨の表示を行うシステム制御部１３及びインジケータ１５Ｂを備える。【選択図】　　　図１
2004118242.tif 000002
【特許請求の範囲】
【請求項１】
他の情報処理装置との間で情報の授受を行う情報処理装置に含まれ、当該情報処理装置の状態を告知する状態告知装置において、
前記他の情報処理装置が前記情報の授受を行うための機能を備えているか否かを問合せる問合せ手段と、
前記他の情報処理装置が前記機能を備えていることが、前記問合せ手段による問合せにより確認されたとき、当該確認された旨の告知を開始する告知手段と、
を備えることを特徴とする状態告知装置。
【請求項２】
請求項１に記載の状態告知装置において、
前記告知手段は、前記告知の開始後において、前記他の情報処理装置が前記構成を備えていないことが、前記問合せ手段により確認されたとき、前記告知を停止することを特徴とする状態告知装置。
【請求項３】
他の情報処理装置との間で情報の授受を行う情報処理装置に含まれ、当該情報処理装置の状態を告知する状態告知装置において、
前記他の情報処理装置と前記情報処理装置との間における前記情報の伝送経路の接続が確立されているか否かを確認する確認手段と、
前記接続が確立されていることが前記確認手段により確認されたとき、当該確認された旨の告知を開始する告知手段と、
を備えることを特徴とする状態告知装置。
【請求項４】
請求項３に記載の状態告知装置において、
前記告知手段は、前記告知の開始後において、前記他の情報処理装置との間で前記接続が確立されていないことが前記確認手段により確認されたとき、前記告知を停止することを特徴とする状態告知装置。
【請求項５】
請求項１から４のいずれか一項に記載の状態表示装置において、
前記告知手段は、前記告知を開始するとき、消灯状態にあった表示手段を点灯状態に切り換えることを特徴とする状態告知装置。
【請求項６】
請求項１から５のいずれか一項に記載の状態告知装置において、
前記他の情報処理装置と前記情報処理装置とは、ＩＥＥＥ（Ｉｎｓｔｉｔｕｔｅ　　ｏｆ　　Ｅｌｅｃｔｒｉｃａｌ　　ａｎｄ　Ｅｌｅｃｔｒｏｎｉｃ　Ｅｎｇｉｎｅｅｒｓ）１３９４規格に則ったシリアルバスにより接続されることを特徴とする状態表示装置。
【請求項７】
他の情報処理装置との間で情報の授受を行う情報処理装置の状態を告知する状態告知方法において、
前記他の情報処理装置が前記情報の授受を行うための機能を備えているか否かを問合せる問合せ工程と、
前記他の情報処理装置が前記機能を備えていることが、前記問合せにより確認されたとき、当該確認された旨の告知を開始する告知工程と、
を備えることを特徴とする状態告知方法。
【請求項８】
他の情報処理装置との間で情報の授受を行う情報処理装置の状態を告知する状態告知方法において、
前記他の情報処理装置と前記情報処理装置との間における前記情報の伝送経路の接続が確立されているか否かを確認する確認工程と、
前記接続が確立されていることが前記確認手段により確認されたとき、当該確認された旨の告知を開始する告知工程と、
を備えることを特徴とする状態告知方法。
【請求項９】
他の情報処理装置との間で情報の授受を行う情報処理装置に含まれ、当該情報処理装置の状態を告知する状態告知装置に含まれるコンピュータを、
前記他の情報処理装置が前記情報の授受を行うための機能を備えているか否かを問合せる問合せ手段、及び、
前記他の情報処理装置が前記機能を備えていることが、前記問合せ手段として機能する前記コンピュータによる問合せにより確認されたとき、当該確認された旨の告知を開始する告知手段、
として機能させることを特徴とする状態告知用プログラム。
【請求項１０】
他の情報処理装置との間で情報の授受を行う情報処理装置に含まれ、当該情報処理装置の状態を告知する状態告知装置に含まれるコンピュータを、
前記他の情報処理装置と前記情報処理装置との間における前記情報の伝送経路の接続が確立されているか否かを確認する確認手段、及び、
前記接続が確立されていることが前記確認手段として機能する前記コンピュータにより確認されたとき、当該確認された旨の告知を開始する告知手段、
として機能させることを特徴とする状態告知用プログラム。
【発明の詳細な説明】
【０００１】
【発明の属する技術分野】
本願は、状態告知装置、状態告知方法及び状態告知用プログラムの技術分野に属し、より詳細には、例えば情報再生装置等の情報処理装置その動作状態等を使用者に告知する状態告知装置及び状態告知方法並びに当該状態告知用プログラムの技術分野に属する。
【０００２】
【従来の技術】
近年、例えば光ディスクに記録されているオーディオ情報を再生するプレーヤ等の情報再生装置と、当該再生されたオーディオ情報を増幅してスピーカ等に出力する増幅装置（いわゆるアンプ）と、を接続する接続方式の規格として、いわゆるＩＥＥＥ１３９４規格が一般化している。
【０００３】
ここで、当該ＩＥＥＥ１３９４規格とは、正式名称を「ＩＥＥＥ　Ｓｔｄ．１３９４−１９９５　ＩＥＥＥ　　Ｓｔａｎｄａｒｄ　　ｆｏｒ　ａ　　Ｈｉｇｈ　　Ｐｅｒｆｏｒｍａｎｃｅ　Ｓｅｒｉａｌ　Ｂｕｓ」と称し、上述した情報再生装置と増幅装置とを有線であるシリアルバスで接続する際に用いられる規格である。
【０００４】
次に、上記ＩＥＥＥ１３９４規格についてその概要を一般的に説明すると、当該ＩＥＥＥ１３９４規格（以下、単にシリアルバス規格と称する）においては、上記情報再生装置及び増幅装置を含む複数種類の情報処理装置（以下、単にノードと称する）間をシリアルバスにより接続し、これら各ノード間で複数チャンネル分の情報伝送を時分割的に実行するように規格化されている。
【０００５】
また、上記シリアルバス規格においては、各ノードからの情報はアイソクロナスサイクル（ここで、「サイクル」とは、シリアルバス上を時分割的に分割して形成される一のサイクルをいう。）と称される単位毎に纏められて送信される。そして、このアイソクロナスサイクルには、他のアイソクロナスサイクル内に含まれる情報と同期して伝送される情報（具体的には、画像情報又はオーディオ情報等を示し、以下、単にオーディオ情報等と称する）が含まれるアイソクロナス伝送領域と、他の情報とは無関係に非同期で伝送される情報（具体的には、上記オーディオ情報等の出力等を制御するための制御情報等）が含まれるアシンクロナス伝送領域とが含まれている。そして、このアイソクロナス伝送領域内の情報が異なったチャンネル毎に時分割されており、夫々のチャンネル毎に異なった情報が伝送される。
【０００６】
上記したシリアルバス規格によれば、パーソナルコンピュータ等の情報処理装置から高速に制御情報を伝送することにより、家庭電化製品又は情報再生装置等の音響映像装置等を一元的に制御することが可能となると共に、各ノード間でもオーディオ情報等を迅速且つ正確に相互伝送することが可能となる。
【０００７】
【発明が解決しようとする課題】
しかしながら、上記シリアルバス規格に則って接続された従来の各ノードにおいては、他のノードとの間でオーディ情報等の伝送や当該伝送のための処理が実際に実行されていても、その処理が実行されている旨は使用者に対して表示されることがなかった。
【０００８】
そして、この場合には、当該ノードを使用する使用者は、実際にオーディオ情報等が伝送されているのか、或いはその伝送が可能な状態に当該ノードがあるのか否かを認識することができないので、何らかの原因でオーディオ情報等の伝送ができず、所望される音楽等を視聴できない状態に陥っても、当該使用者はその原因を認識することができないという問題点があった。
【０００９】
そして、この問題点は、結果としてその原因追求に不要な時間が必要となり、使用者にとって著しく利便性が悪いという問題点に繋がることとなる。
【００１０】
そこで、本願は、上記の各問題点に鑑みて為されたもので、その課題の一例は、例えば、シリアルバス規格に則ったシリアルバスにより複数のノードを接続したとき、その接続によるオーディオ情報等の伝送が可能となったか否か等をそのノードの使用者に認識させることが可能な状態告知装置及び状態告知方法並びに当該状態告知用プログラムを提供することにある。
【００１１】
【課題を解決するための手段】
上記の課題を解決するために、請求項１に記載の発明は、他の情報処理装置との間で情報の授受を行う情報処理装置に含まれ、当該情報処理装置の状態を告知する状態告知装置において、前記他の情報処理装置が前記情報の授受を行うための機能を備えているか否かを問合せる問合せ手段と、前記他の情報処理装置が前記機能を備えていることが、前記問合せ手段による問合せにより確認されたとき、当該確認された旨の告知を開始する告知手段と、を備える。
【００１２】
上記の課題を解決するために、請求項３に記載の発明は、他の情報処理装置との間で情報の授受を行う情報処理装置に含まれ、当該情報処理装置の状態を告知する状態告知装置において、前記他の情報処理装置と前記情報処理装置との間における前記情報の伝送経路の接続が確立されているか否かを確認する確認手段と、前記接続が確立されていることが前記確認手段により確認されたとき、当該確認された旨の告知を開始する告知手段と、を備える。
【００１３】
上記の課題を解決するために、請求項７に記載の発明は、他の情報処理装置との間で情報の授受を行う情報処理装置の状態を告知する状態告知方法において、前記他の情報処理装置が前記情報の授受を行うための機能を備えているか否かを問合せる問合せ工程と、前記他の情報処理装置が前記機能を備えていることが、前記問合せにより確認されたとき、当該確認された旨の告知を開始する告知工程と、を備える。
【００１４】
上記の課題を解決するために、請求項８に記載の発明は、他の情報処理装置との間で情報の授受を行う情報処理装置の状態を告知する状態告知方法において、前記他の情報処理装置と前記情報処理装置との間における前記情報の伝送経路の接続が確立されているか否かを確認する確認工程と、前記接続が確立されていることが前記確認手段により確認されたとき、当該確認された旨の告知を開始する告知工程と、を備える。
【００１５】
上記の課題を解決するために、請求項９に記載の発明は、他の情報処理装置との間で情報の授受を行う情報処理装置に含まれ、当該情報処理装置の状態を告知する状態告知装置に含まれるコンピュータを、前記他の情報処理装置が前記情報の授受を行うための機能を備えているか否かを問合せる問合せ手段、及び、前記他の情報処理装置が前記機能を備えていることが、前記問合せ手段として機能する前記コンピュータによる問合せにより確認されたとき、当該確認された旨の告知を開始する告知手段、として機能させる。
【００１６】
上記の課題を解決するために、請求項１０に記載の発明は、他の情報処理装置との間で情報の授受を行う情報処理装置に含まれ、当該情報処理装置の状態を告知する状態告知装置に含まれるコンピュータを、前記他の情報処理装置と前記情報処理装置との間における前記情報の伝送経路の接続が確立されているか否かを確認する確認手段、及び、前記接続が確立されていることが前記確認手段として機能する前記コンピュータにより確認されたとき、当該確認された旨の告知を開始する告知手段、として機能させる。
【００１７】
【発明の実施の形態】
次に、本願に好適な実施の形態について、図面に基づいて説明する。
【００１８】
なお、以下に説明する実施の形態は、ＤＶＤ（Ｄｉｇｉｔａｌ　　Ｖｅｒｓａｔｉｌｅ　Ｄｉｓｃ）等の光ディスクに記録されているオーディオ情報を再生するプレーヤと、当該プレーヤにおいて再生されたオーディオ情報に対して予め設定された増幅処理及び波形整形処理等を施してスピーカを介して出力（放音）するレシーバと、当該プレーヤとレシーバとを上記シリアルバス規格に則って有線接続するシリアルバスと、を含む情報再生システムに対して本願を適応した場合の実施の形態である。
【００１９】
初めに、実施形態に係る情報再生システムの全体構成について、図１を用いて説明する。なお、図１は実施形態に係る情報再生システムに含まれる上記プレーヤ及びレシーバの概要構成を示すブロック図である。
【００２０】
図１に示すように、実施形態に係る情報再生システムＳは、情報処理装置としてのプレーヤＰと、他の情報処理装置としてのレシーバＲと、当該プレーヤＰとレシーバＲとを上記シリアルバス規格に則って接続するシリアルバスＢと、により構成されている。
【００２１】
また、プレーヤＰは、検出部１と、デコード部２と、インタフェース３と、システム制御部４と、入力操作部５と、表示部６と、を含んで構成されている。
【００２２】
更に、レシーバＲは、インタフェース１０と、受信処理部１１と、スピーカ１２と、問合わせ手段及び確認手段としてのシステム制御部１３と、入力操作部１４と、ＬＥＤ（Ｌｉｇｈｔ　　Ｅｍｉｔｔｉｎｇ　　Ｄｉｏｄｅ）等の発光素子よりなる告知手段としてのインジケータ１５Ｂ及び液晶表示装置等からなる表示部１５Ａとを含む表示パネル１５と、を含んで構成されている。
【００２３】
次に、全体動作を説明する。
【００２４】
先ず、プレーヤＰ内の検出部１は、オーディオ情報が予め記録されたＤＶＤ等の光ディスクＤＫを回転させるためのスピンドルモータ、当該回転している光ディスクＤＫから上記オーディオ情報を光学的に検出するピックアップ及び当該検出されたオーディオ情報に対して予め設定された振幅増幅等の前処理を施す処理部等を含んで構成されており、当該光ディスクＤＫが装填されると、制御信号Ｓｃｐを用いたシステム制御部４の制御の下、当該光ディスクＤＫに記録されているオーディオ情報を光学的に検出し、当該検出したオーディオ情報に対応する検出信号Ｓｐを生成してデコード部２へ出力する。
【００２５】
これにより、デコード部２は、制御信号Ｓｃｄを用いたシステム制御部４の制御の下、上記検出信号Ｓｐに含まれているオーディオ情報を復号し、復号情報Ｓｄを生成してインタフェース３へ出力する。
【００２６】
次に、インタフェース３は、制御信号Ｓｃｉを用いたシステム制御部４の制御の下、復号後の復号情報Ｓｄに対して上記シリアルバス規格に基づく出力インタフェース処理を施し、プレーヤ出力情報としてシリアルバスＢを介してレシーバＲに出力する。このとき、当該インタフェース３は、上記復号情報Ｓｄに含まれているオーディオ情報を各アイソクロナスパケット（必要な同期情報等を含む）に分割し、上記プレーヤ出力情報を形成してシリアルバスＢ上に送出することとなる。
【００２７】
また、インタフェース３内の図示しない暗号化部は、復号されたオーディオ情報に対して予め設定された暗号化方式に基づく暗号化処理を必要に応じて施した後、上記プレーヤ出力情報としてシリアルバスＢへ出力する。
【００２８】
一方、上述した一連のプレーヤＰにおける動作を制御するための操作は入力操作部５において使用者により実行され、当該実行された操作に対応する操作信号Ｓｉｎが生成されてシステム制御部４へ出力される。
【００２９】
そして、システム制御部４は、オーディオ情報の再生処理が実現されるようにプレーヤＰを構成する各構成部材を統括制御すべく、上記操作信号Ｓｉｎに基づいて当該各構成部材を制御するための上記制御信号Ｓｃｐ，Ｓｃｄ及びＳｃｉを生成して出力する。
【００３０】
更に、当該システム制御部４による統括制御処理において上記使用者に対して提示すべき情報は、表示情報Ｓｄｐとしてシステム制御部４から出力される。
【００３１】
そして、表示部６は、当該表示情報Ｓｄｐに基づいて当該提示すべき情報を表示する。
【００３２】
他方、上記インタフェース３から出力されてきたプレーヤ出力情報を受信するレシーバＲにおけるインタフェース１０は、制御信号Ｓｃｉを用いたシステム制御部１３の制御の下、シリアルバスＢを介して出力されてきた当該プレーヤ出力情報に対して上記シリアルバス規格に則った入力インタフェース処理を実行し、受信情報Ｓｒとして受信処理部１１へ出力する。
【００３３】
そして、受信処理部１１は、制御信号Ｓｃｒを用いたシステム制御部１３の制御の下、当該生成された受信情報Ｓｒに含まれているオーディオ情報に対して増幅処理及び波形整形処理等の予め設定された受信処理を施し、当該オーディオ情報に対応する出力情報Ｓｏを生成してスピーカ１２に出力する。
【００３４】
これにより、スピーカ１２は、当該出力情報Ｓｏに含まれるオーディオ情報を音として放音する。
【００３５】
一方、上述した一連のレシーバＲにおける動作を制御するための操作は入力操作部１４において使用者により実行され、当該実行された操作に対応する操作信号Ｓｉｎが生成されてシステム制御部１３へ出力される。
【００３６】
このとき、システム制御部１３は、後述するフローチャートにより示されるインジケータ表示制御処理を含むオーディオ情報に対する上記受信・増幅処理が実現されるように上記インタフェース１０及び受信処理部１１を統括制御すべく、上記操作信号Ｓｉｎに基づいて当該インタフェース１０及び受信処理部１１を制御するための上記制御信号Ｓｃｒ及びＳｃｉを生成して出力する。
【００３７】
更に、当該システム制御部４による統括制御処理において上記使用者に対して提示すべき情報は、表示情報Ｓｄｐとしてシステム制御部１３から出力される。
【００３８】
そして、表示部１５Ａは、当該表示情報Ｓｄｐに基づいて当該提示すべき情報を表示する。
【００３９】
これと並行して、システム制御部１３は、後述する実施形態に係るインジケータ表示制御処理を実行してインジケータ１５Ｂにおける表示状態を制御すべく制御情報Ｓｌｄを生成して当該インジケータ１５Ｂに出力する。
【００４０】
次に、上述してきた構成及び動作を有する情報再生システムＳ内のレシーバＲにおけるシステム制御部１３及びインタフェース１０において主として実行される、実施形態に係るインジケータ表示制御処理について、図１及び図２を用いて説明する。
【００４１】
なお、図２は当該インジケータ表示制御処理を示すフローチャートである。
【００４２】
図２に示すように、実施形態のインジケータ表示制御処理においては、初めに、プレーヤＰとレシーバＲとがシリアルバスＢにより物理的に接続されているか否か、及びレシーバＲにおける必要な設定処理（すなわち、プレーヤＰにおいて再生されたオーディオ情報をシリアルバスＢを介して受信して出力するために必要な種々の設定処理）が完了しているか否かを確認する（ステップＳ１）。
【００４３】
そして、ステップＳ１の判定において、レシーバＲがオーディオ情報の受信が物理的に可能とされていないときは（ステップＳ１；ＮＯ）、インジケータ１５Ｂを消灯状態とすべく上記制御情報Ｓｌｄを当該インジケータ１５Ｂに出力して（ステップＳ８）次のステップＳ９に移行する。
【００４４】
なお、上記ステップＳ８における消灯状態とは、それまで点灯していたインジケータ１５Ｂを消灯させることと、今まで消灯状態であったインジケータ１５Ｂを消灯状態のまま維持することと、が含まれている。
【００４５】
一方、ステップＳ１の判定においてプレーヤＰからのオーディオ情報の受信がレシーバＲにおいて物理的に可能とされているときは（ステップＳ１；ＹＥＳ）、次に、プレーヤＰとの間における上記シリアルバス規格に則ったオーディオ情報の伝送が可能となる状態（すなわち、オーディオ情報を伝送するための伝送経路が確立されること（いわゆるコネクションが張られること）を言う）に移行するように要求する旨の要求情報をシステム制御部１３からインタフェース１０に対して制御信号Ｓｃｉとして出力する（ステップＳ２）。
【００４６】
そして、インタフェース１０内に格納されている機器情報に基づいて、接続されるプレーヤＰが、上記シリアルバス規格において定めされている命令形式として周知のＡＶ／Ｃ（Ｃｏｎｓｕｍｅｒ　Ａｕｄｉｏ／Ｖｉｄｅｏ）コマンド（正式名称は、「ＡＶ／Ｃ　Ｄｉｇｉｔａｌ　　Ｉｎｔｅｒｆａｃｅ　Ｃｏｍｍａｎｄ　　Ｓｅｔ」である）形式に準拠しているか否かを確認する（ステップＳ３）。そして、例えば上記シリアルバス規格に準拠していないノードが接続される場合等において、そのノード内のインタフェースが当該ＡＶ／Ｃコマンド形式に準拠していないときは（ステップＳ３；ＮＯ）、そのノードに対するシリアルバス規格に則ったオーディオ情報の伝送処理が実行できないこととなるので、インジケータ１５Ｂを消灯状態とすべく上記制御情報Ｓｌｄを当該インジケータ１５Ｂに出力して（ステップＳ８）次のステップＳ９に移行する。
【００４７】
他方、ステップＳ３の判定において、プレーヤＰのインタフェース３は上記ＡＶ／Ｃコマンド形式に準拠しているので（ステップＳ３；ＹＥＳ）、次に、インタフェース３が上記シリアルバス規格において定めされているプロトコル（通信規約）として周知のＡ＆Ｍ（Ａｕｄｉｏ　　＆　Ｍｕｓｉｃ）プロトコルに準拠した出力処理が可能とされているか否かを確認する（ステップＳ４）。そして、ステップＳ３の場合と同様に例えば上記シリアルバス規格に準拠していないノードが接続される場合等において、そのノード内のインタフェースが当該Ａ＆Ｍプロトコルに準拠した出力処理が可能とされていないときは（ステップＳ４；ＮＯ）、そのノードが接続された場合でもレシーバＲでは受信処理が実行できないこととなるので、上記ステップＳ８及びステップＳ９に移行する。
【００４８】
他方、ステップＳ４の判定において、インタフェース３は上記Ａ＆Ｍプロトコルに準拠した出力処理が可能であるので（ステップＳ４；ＹＥＳ）、次に、プレーヤＰ自体に、レシーバＲがオーディオ情報を活用するための制御機能が備わっているか否かを確認する（ステップＳ５）。ここで、当該制御機能とは、例えば、レシーバＲに対してコネクションが張られた場合においては、レシーバＲにおいて受信処理が可能な態様でオーディオ情報等を出力することが可能な当該機器としての機能を言う。
【００４９】
そして、ステップＳ５の判定において、ステップＳ３又はＳ４の場合と同様に例えば上記シリアルバス規格に準拠していないノードが接続される場合等において、そのノード自体に上記いずれの制御機能も備わっていないときは（ステップＳ５；ＮＯ）、そのノードに対するシリアルバス規格に則ったオーディオ情報の伝送処理が実行できないこととなるので、上記ステップＳ８及びステップＳ９に移行する。
【００５０】
一方、ステップＳ５の判定において、プレーヤＰ自体は上記いずれかの制御機能を備えているので（ステップＳ５；ＹＥＳ）、次に、実際にプレーヤＰとの間で必要な制御情報の授受が行われることにより、実際にプレーヤＰからレシーバＲにオーディオ情報についてのコネクションが張られているか否かを確認する（ステップＳ６）。
【００５１】
そして、ステップＳ６の判定において、実際にプレーヤＰからレシーバＲにオーディオ情報についてのコネクションが張られていないときは（ステップＳ６；ＮＯ）、レシーバＲに対するシリアルバス規格に則ったオーディオ情報の伝送処理が実行できないこととなるので、上記ステップＳ８及びステップＳ９に移行する。
【００５２】
他方、ステップＳ６の判定において、実際にプレーヤＰからレシーバＲにオーディオ情報についてのコネクションが張られているときは（ステップＳ６；ＹＥＳ）、インジケータ１５Ｂを点灯状態とすべく上記制御情報Ｓｌｄを当該インジケータ１５Ｂに出力する（ステップＳ７）。
【００５３】
なお、上記ステップＳ７における点灯状態とは、それまで消灯していたインジケータ１５Ｂを点灯させることと、今まで点灯状態であったインジケータ１５Ｂを点灯状態のまま維持することと、が含まれている。
【００５４】
次に、インジケータ１５Ｂを点灯状態とするか（ステップＳ８）又は消灯状態とするか（ステップＳ９）の処理が完了した以降は、プレーヤＰの図示しない電源スイッチがオフとされたか否かが常に監視されており（ステップＳ９）、当該電源スイッチがオフとされたときは（ステップＳ９；ＹＥＳ）そのまま実施形態に係るインジケータ表示制御処理を終了し、一方、電源スイッチがオフとされないときは（ステップＳ９；ＮＯ）上記ステップＳ１の処理に戻って上述してきた一連の処理を繰り返す。
【００５５】
以上説明したように、実施形態のインジケータ表示制御処理によれば、プレーヤＰがレシーバＲとの間でのオーディオ情報の授受を行うための構成を備えていることが確認されたとき、インジケータ１５Ｂを点灯状態とするので、当該プレーヤＰとレシーバＲとの間でオーディオ情報の授受が可能であることを当該レシーバＲの使用者が認識できる。
【００５６】
また、プレーヤＰがレシーバＲとの間でのオーディオ情報の授受を行うための構成を備えていないことが新たに確認されたとき、インジケータ１５Ｂを消灯状態にするので、プレーヤＰとの間ではオーディオ情報の授受が不可能となったことをレシーバＲの使用者が認識することができる。
【００５７】
更に、プレーヤＰとレシーバＲとが接続され実際にオーディオ情報の授受を行うことが可能となったことが確認されたとき、インジケータ１５Ｂを点灯状態とするので、レシーバＲとプレーヤＰとの間でオーディオ情報の授受が実際に可能となっていることを当該レシーバＲの使用者が認識できる。
【００５８】
更にまた、プレーヤＰとの間でオーディオ情報の授受を行うことが不可能となったことが新たに確認されたとき、インジケータ１５Ｂを消灯状態とするので、プレーヤＰとの間ではオーディオ情報の授受が不可能となったことをレシーバＲの使用者が認識することができる。
【００５９】
また、上述した表示に当たってはインジケータ１５Ｂの点灯又は消灯により表示するので、簡易な構成で且つ必要な表示を行うことができる。
【００６０】
更に、上記シリアルバス規格に則ったシリアルバスＢを用いたプレーヤＰとレシーバＲ間の接続において、オーディオ情報の伝送が可能か否かを使用者が認識できる。
【００６１】
なお、上述した実施形態においては、レシーバＲにおいてオーディオ情報の伝送状態（伝送可能状態を含む）を確認する場合について説明したが、これ以外に、プレーヤＰにおいて同様に伝送状態を確認する場合に、本願を適用することも可能である。この場合には、プレーヤＰ内のシステム制御部４及び図示しないインジケータにより上述した実施形態のインジケータ表示制御処理が実行されることとなる。
【００６２】
また、上述した実施形態においては、プレーヤＰとレシーバＲ間でオーディオ情報を伝送する場合について説明したが、これ以外に、光ディスクＤＫからオーディオ情報を含む動画像情報を検出・再生し、これを画像表示機能と音声出力機能とを兼ね備える情報処理装置に出力する場合に本願を適用することも可能である。
【００６３】
更に、上述した実施形態においては、インジケータ１５Ｂの点灯又は消灯により必要な状態を表示したが、これ以外に、文字情報又は図形情報を用いて表示部６Ａ上に必要な伝送状態を表示するように構成することも可能であるし、或いは、音を用いて必要な伝送状態を表示するように構成することもできる。この場合は、実施形態のインジケータ１５Ｂを点灯すべき場合に相当する期間に音を発し続け、当該インジケータ１５Ｂを消灯すべき場合に相当する期間には消音するように構成してもよい。また、インジケータ１５Ｂを点灯すべき場合に相当するときから消灯すべき場合に相当するときに変化したときにのみ一時的に音を発すると共に、消灯すべき場合に相当するときから点灯すべき場合に相当するとき変化したときにも一時的に音を発するように構成してもよい。
【００６４】
また、図２に示すフローチャートに対応するプログラムをフレキシブルディスク又はハードディスク等の情報記録媒体に記録しておき、或いはインターネット等のネットワークを介して取得して記録しておき、これを汎用のマイクロコンピュータ等により読み出して実行することにより、当該マイクロコンピュータ等を実施形態におけるシステム制御部４として機能させることも可能である。
【図面の簡単な説明】
【図１】実施形態の情報再生システムの概要構成を示すブロック図である。
【図２】実施形態の表示制御処理を示すフローチャートである。
【符号の説明】
１…検出部
２…デコード部
３、１０…インタフェース
４、１３…システム制御部
５、１４…入力操作部
６…表示部
１１…受信処理部
１２…スピーカ
１５…表示パネル
１５Ａ…表示部
１５Ｂ…インジケータ
Ｓ…情報再生システム
Ｐ…プレーヤ
Ｒ…レシーバ
Ｂ…シリアルバス
ＤＫ…光ディスク
【図１】
2004118242.tif 000003
【図２】
2004118242.tif 000004
【手続補正書】
【提出日】平成14年10月3日(2002.10.3)
【手続補正１】
【補正対象書類名】図面
【補正対象項目名】全図
【補正方法】変更
【補正の内容】
【図１】
2004118242.tif 000005
【図２】
2004118242.tif 000006